(57)【要約】【課題】各施設の管理者がエネルギー使用量の情報の非開示を制御できるようにする。【解決手段】使用量管理サーバは、各施設のエネルギーの使用量を収集する使用量収集部と、エネルギーの使用量の情報を格納する使用量格納部と、施設毎に施設名の情報を格納する施設情報格納部と、エネルギーの使用量の開示方法を指定する開示制御情報を格納する開示制御情報格納部と、端末装置から要求があった場合に、施設毎のエネルギーの使用量を表示するための画面情報を作成して当該端末装置へ送信する使用量開示制御部とを備え、使用量開示制御部は、施設名を開示しない開示方法を指定する開示制御情報が開示制御情報格納部に格納されている場合、開示するエネルギーの使用量を使用した施設の施設名に代えて、当該施設名とは異なる名称を用いて画面情報を作成する。【選択図】図２
2014067205.tif 000002
【特許請求の範囲】
【請求項１】
それぞれの施設から当該施設で使用されたエネルギーの使用量の情報を収集して管理する使用量管理サーバであって、
それぞれの施設から当該施設で使用されたエネルギーの使用量の情報を収集する使用量収集部と、
前記使用量収集部が収集したエネルギーの使用量の情報を格納する使用量格納部と、
施設毎に、当該施設の施設名の情報を格納する施設情報格納部と、
エネルギーの使用量を開示する際の開示方法を指定する開示制御情報を格納する開示制御情報格納部と、
端末装置から要求があった場合に、前記使用量格納部に格納されているエネルギーの使用量の情報を開示する画面情報を作成して当該端末装置へ送信する使用量開示制御部と
を備え、
前記使用量開示制御部は、
施設名を開示しない開示方法を指定する開示制御情報が前記開示制御情報格納部に格納されている場合、開示するエネルギーの使用量を使用した施設の施設名に代えて、当該施設名とは異なる名称を用いて前記画面情報を作成することを特徴とする使用量管理サーバ。
【請求項２】
請求項１に記載の使用量管理サーバであって、
前記端末装置からエネルギーの使用量の情報毎に開示制御情報を受け付け、受け付けた開示制御情報を当該エネルギーの使用量の情報に対応付けて前記開示制御情報格納部に格納する情報登録部をさらに備えることを特徴とする使用量管理サーバ。
【請求項３】
請求項１または２に記載の使用量管理サーバであって、
前記開示制御情報格納部には、
エネルギーの使用量の情報毎に、前記開示制御情報の内容に関わらず、当該使用量のエネルギーを使用した施設の施設名を開示する第三者の情報を含む開示先情報がさらに対応付けられており、
前記使用量開示制御部は、
前記端末装置から要求があった場合に、当該端末装置のユーザが前記開示先情報に含まれている第三者に該当するエネルギーの使用量の情報については、施設名を開示しない開示方法を指定する開示制御情報が対応付けられていたとしても、当該使用量のエネルギーを使用した施設の施設名を用いて前記画面情報を作成することを特徴とする使用量管理サーバ。
【請求項４】
請求項１から３のいずれか一項に記載の使用量管理サーバであって、
前記使用量開示制御部は、
他の施設の使用量の情報と統計処理する場合に開示を許可する開示方法を指定する開示制御情報が対応付けられているエネルギーの使用量の情報については、他の施設の使用量の情報と統計処理した情報を用いて、当該使用量のエネルギーを使用した施設の施設名を用いることなく前記画面情報を作成することを特徴とする使用量管理サーバ。
【請求項５】
請求項４に記載の使用量管理サーバであって、
前記統計処理には、複数の施設のエネルギーの使用量の情報を平均する処理が含まれることを特徴とする使用量管理サーバ。
【請求項６】
請求項１から５に記載の使用量管理サーバであって、
前記画面情報を作成する処理の名称毎に、当該画面情報の作成に用いられるデータ系列として予め定められたエネルギーの使用量の識別情報を対応付けて格納する処理情報格納部をさらに備え、
前記使用量開示制御部は、
前記端末装置から処理の名称を示す情報を受信した場合に、当該処理の名称に対応付けられているエネルギーの使用量の識別情報を前記処理情報格納部から抽出し、当該識別情報で特定されるエネルギーの使用量の情報を用いて前記画面情報を作成することを特徴とする使用量管理サーバ。
【請求項７】
請求項６に記載の使用量管理サーバであって、
前記端末装置からエネルギーの使用量の識別情報と共に処理の名称の情報を受け付け、受け付けたエネルギーの使用量の識別情報を、受け付けた処理の名称の情報に対応付けて処理情報格納部に格納する処理登録部をさらに備えることを特徴とする使用量管理サーバ。
【請求項８】
請求項６または７に記載の使用量管理サーバであって、
前記処理情報格納部内のデータ系列には、
１または複数のエネルギーの使用量の情報を用いた演算式を指定することができ、
前記使用量開示制御部は、
前記端末装置から処理の名称を示す情報を受信した場合に、当該処理の名称に対応付けられているデータ系列が演算式で指定されている場合、当該演算式で指定されているエネルギーの使用量の情報に当該演算式を適用したデータ系列をエネルギーの使用量の情報として前記画面情報を作成することを特徴とする使用量管理サーバ。
【請求項９】
コンピュータを、それぞれの施設から当該施設で使用されたエネルギーの使用量の情報を収集して管理する使用量管理サーバとして機能させるプログラムであって、
前記コンピュータに、
それぞれの施設から当該施設で使用されたエネルギーの使用量の情報を収集する使用量収集機能と、
前記使用量収集機能が収集したエネルギーの使用量の情報を記憶装置に格納する使用量格納機能と、
施設毎に、当該施設の施設名の情報を前記記憶装置に格納する施設情報格納機能と、
エネルギーの使用量を開示する際の開示方法を指定する開示制御情報を前記記憶装置に格納する開示制御情報格納機能と、
端末装置から要求があった場合に、前記記憶装置に格納されているエネルギーの使用量の情報を開示する画面情報を作成して当該端末装置へ送信する使用量開示制御機能と
を備え、
前記使用量開示制御機能は、
施設名を開示しない開示方法を指定する開示制御情報が前記記憶装置に格納されている場合、開示するエネルギーの使用量を使用した施設の施設名に代えて、当該施設名とは異なる名称を用いて前記画面情報を作成することを特徴とするプログラム。
【請求項１０】
それぞれの施設から当該施設で使用されたエネルギーの使用量の情報を収集して管理する使用量管理サーバにおける使用量管理方法であって、
前記使用量管理サーバが、
それぞれの施設から当該施設で使用されたエネルギーの使用量の情報を収集する使用量収集ステップと、
前記使用量収集ステップにおいて収集したエネルギーの使用量の情報を記憶装置に格納する使用量格納ステップと、
施設毎に、当該施設の施設名の情報を前記記憶装置に格納する施設情報格納ステップと、
エネルギーの使用量を開示する際の開示方法を指定する開示制御情報を前記記憶装置に格納する開示制御情報格納ステップと、
端末装置から要求があった場合に、前記記憶装置に格納されているエネルギーの使用量の情報を開示する画面情報を作成して当該端末装置へ送信する使用量開示制御ステップと
を実行し、
前記使用量開示制御ステップにおいて、前記使用量管理サーバは、
施設名を開示しない開示方法を指定する開示制御情報が前記記憶装置に格納されている場合、開示するエネルギーの使用量を使用した施設の施設名に代えて、当該施設名とは異なる名称を用いて前記画面情報を作成することを特徴とする使用量管理方法。
【請求項１１】
それぞれの施設から情報を収集して管理する情報管理サーバであって、
それぞれの施設から情報を収集する情報収集部と、
前記情報収集部が収集した情報を格納する情報格納部と、
施設毎に、当該施設の施設名の情報を格納する施設情報格納部と、
情報を開示する際の開示方法を指定する開示制御情報を格納する開示制御情報格納部と、
端末装置から要求があった場合に、前記情報格納部に格納されている情報を開示する画面情報を作成して当該端末装置へ送信する情報開示制御部と
を備え、
前記情報開示制御部は、
施設名を開示しない開示方法を指定する開示制御情報が前記開示制御情報格納部に格納されている場合、開示する情報の施設名に代えて、当該施設名とは異なる名称を用いて前記画面情報を作成することを特徴とする情報管理サーバ。
【発明の詳細な説明】
【技術分野】
【０００１】
本発明は、使用量管理サーバ、プログラム、使用量管理方法、および情報管理サーバに関する。
【背景技術】
【０００２】
ビル等の施設において、室内環境・エネルギー使用状況を把握し、かつ、室内環境に応じた機器や設備等の運転管理によってエネルギー消費量の削減を図るためのシステムであるＢＥＭＳ（Building Energy and Environmental Management System）が知られている。下記の特許文献１には、ＢＥＭＳ毎にデータの表現形式がばらばらであるため、各ＢＥＭＳから生のデータを収集してサーバ上で保持し、ポータルサイトを介して各ユーザがその都度一括してデータを編集できるようにする技術について開示されている。
【先行技術文献】
【特許文献】
【０００３】
【特許文献１】特開２００６−１８５２２６号公報
【発明の概要】
【発明が解決しようとする課題】
【０００４】
ところで、複数のＢＥＭＳからのデータを一元管理するＣＥＭＳ（Cluster/Community Energy Management System）等のシステムでは、複数のＢＥＭＳ間でエネルギーの消費量を比較して削減の余地を検討することができる。また、各ＢＥＭＳから提供されるエネルギー使用量が、どのような場所にあるどのような機器のエネルギー使用量なのか等の点で詳細に区分されていれば、より細かな視点でエネルギー使用量の削減を具体的に検討することができる。このように、参加するＢＥＭＳの数が多ければ多いほど、提供されるエネルギー使用量の情報が詳細であればあるほど、ＣＥＭＳの利便性が増すことになる。
【０００５】
しかし、エネルギー使用量について、どのような場所にあるどのような機器の情報なのか等を公開することは、その施設を使用または管理している企業等のプライバシーを公開することになり、セキュリティ等の点で様々な問題を生じる可能性がある。
【０００６】
そのため、そのようなリスクをおそれるあまり、ＢＥＭＳを使用している各企業等は、積極的にＣＥＭＳにエネルギー使用量の詳細情報を提供したがらない場合がある。そのため、ＣＥＭＳに参加するＢＥＭＳの数が伸びず、ＣＥＭＳの利便性が生かされないことになる。
【０００７】
本発明は上記事情を鑑みてなされたものであり、本発明の目的は、各施設の管理者がエネルギー使用量の情報の非開示を制御できるようにすることにある。
【課題を解決するための手段】
【０００８】
上記課題を解決するために、例えば特許請求の範囲に記載の構成を採用する。
【０００９】
本願は、上記課題を解決するための手段を複数含んでいるが、その第一の態様を挙げるならば、それぞれの施設から当該施設で使用されたエネルギーの使用量の情報を収集して管理する使用量管理サーバであって、
それぞれの施設から当該施設で使用されたエネルギーの使用量の情報を収集する使用量収集部と、
前記使用量収集部が収集したエネルギーの使用量の情報を格納する使用量格納部と、
施設毎に、当該施設の施設名の情報を格納する施設情報格納部と、
エネルギーの使用量を開示する際の開示方法を指定する開示制御情報を格納する開示制御情報格納部と、
端末装置から要求があった場合に、前記使用量格納部に格納されているエネルギーの使用量の情報を開示する画面情報を作成して当該端末装置へ送信する使用量開示制御部と
を備え、
前記使用量開示制御部は、
施設名を開示しない開示方法を指定する開示制御情報が前記開示制御情報格納部に格納されている場合、開示するエネルギーの使用量を使用した施設の施設名に代えて、当該施設名とは異なる名称を用いて前記画面情報を作成する。
【００１０】
上記した使用量管理サーバは、
前記端末装置からエネルギーの使用量の情報毎に開示制御情報を受け付け、受け付けた開示制御情報を当該エネルギーの使用量の情報に対応付けて前記開示制御情報格納部に格納する情報登録部をさらに備えてもよい。
【００１１】
上記した使用量管理サーバにおいて、
前記開示制御情報格納部には、
エネルギーの使用量の情報毎に、前記開示制御情報の内容に関わらず、当該使用量のエネルギーを使用した施設の施設名を開示する第三者の情報を含む開示先情報がさらに対応付けられていてもよく、
前記使用量開示制御部は、
前記端末装置から要求があった場合に、当該端末装置のユーザが前記開示先情報に含まれている第三者に該当するエネルギーの使用量の情報については、施設名を開示しない開示方法を指定する開示制御情報が対応付けられていたとしても、当該使用量のエネルギーを使用した施設の施設名を用いて前記画面情報を作成してもよい。
【００１２】
上記した使用量管理サーバにおいて、
前記使用量開示制御部は、
他の施設の使用量の情報と統計処理する場合に開示を許可する開示方法を指定する開示制御情報が対応付けられているエネルギーの使用量の情報については、他の施設の使用量の情報と統計処理した情報を用いて、当該使用量のエネルギーを使用した施設の施設名を用いることなく前記画面情報を作成してもよい。
【００１３】
上記した使用量管理サーバにおいて、
前記統計処理には、複数の施設のエネルギーの使用量の情報を平均する処理が含まれていてもよい。
【００１４】
上記した使用量管理サーバは、
前記画面情報を作成する処理の名称毎に、当該画面情報の作成に用いられるデータ系列として予め定められたエネルギーの使用量の識別情報を対応付けて格納する処理情報格納部をさらに備えていてもよく、
前記使用量開示制御部は、
前記端末装置から処理の名称を示す情報を受信した場合に、当該処理の名称に対応付けられているエネルギーの使用量の識別情報を前記処理情報格納部から抽出し、当該識別情報で特定されるエネルギーの使用量の情報を用いて前記画面情報を作成してもよい。
【００１５】
上記した使用量管理サーバは、
前記端末装置からエネルギーの使用量の識別情報と共に処理の名称の情報を受け付け、受け付けたエネルギーの使用量の識別情報を、受け付けた処理の名称の情報に対応付けて処理情報格納部に格納する処理登録部をさらに備えていてもよい。
【００１６】
上記した使用量管理サーバにおいて、
前記処理情報格納部内のデータ系列には、
１または複数のエネルギーの使用量の情報を用いた演算式を指定することができ、
前記使用量開示制御部は、
前記端末装置から処理の名称を示す情報を受信した場合に、当該処理の名称に対応付けられているデータ系列が演算式で指定されている場合、当該演算式で指定されているエネルギーの使用量の情報に当該演算式を適用したデータ系列をエネルギーの使用量の情報として前記画面情報を作成してもよい。
【００１７】
また、本発明の第二の態様は、コンピュータを、それぞれの施設から当該施設で使用されたエネルギーの使用量の情報を収集して管理する使用量管理サーバとして機能させるプログラムであって、
前記コンピュータに、
それぞれの施設から当該施設で使用されたエネルギーの使用量の情報を収集する使用量収集機能と、
前記使用量収集機能が収集したエネルギーの使用量の情報を記憶装置に格納する使用量格納機能と、
施設毎に、当該施設の施設名の情報を前記記憶装置に格納する施設情報格納機能と、
エネルギーの使用量を開示する際の開示方法を指定する開示制御情報を前記記憶装置に格納する開示制御情報格納機能と、
端末装置から要求があった場合に、前記記憶装置に格納されているエネルギーの使用量の情報を開示する画面情報を作成して当該端末装置へ送信する使用量開示制御機能と
を備え、
前記使用量開示制御機能は、
施設名を開示しない開示方法を指定する開示制御情報が前記記憶装置に格納されている場合、開示するエネルギーの使用量を使用した施設の施設名に代えて、当該施設名とは異なる名称を用いて前記画面情報を作成する。
【００１８】
また、本発明の第三の態様は、それぞれの施設から当該施設で使用されたエネルギーの使用量の情報を収集して管理する使用量管理サーバにおける使用量管理方法であって、
前記使用量管理サーバが、
それぞれの施設から当該施設で使用されたエネルギーの使用量の情報を収集する使用量収集ステップと、
前記使用量収集ステップにおいて収集したエネルギーの使用量の情報を記憶装置に格納する使用量格納ステップと、
施設毎に、当該施設の施設名の情報を前記記憶装置に格納する施設情報格納ステップと、
エネルギーの使用量を開示する際の開示方法を指定する開示制御情報を前記記憶装置に格納する開示制御情報格納ステップと、
端末装置から要求があった場合に、前記記憶装置に格納されているエネルギーの使用量の情報を開示する画面情報を作成して当該端末装置へ送信する使用量開示制御ステップと
を実行し、
前記使用量開示制御ステップにおいて、前記使用量管理サーバは、
施設名を開示しない開示方法を指定する開示制御情報が前記記憶装置に格納されている場合、開示するエネルギーの使用量を使用した施設の施設名に代えて、当該施設名とは異なる名称を用いて前記画面情報を作成する。
【００１９】
また、本発明の第四の態様は、それぞれの施設から情報を収集して管理する情報管理サーバであって、
それぞれの施設から情報を収集する情報収集部と、
前記情報収集部が収集した情報を格納する情報格納部と、
施設毎に、当該施設の施設名の情報を格納する施設情報格納部と、
情報を開示する際の開示方法を指定する開示制御情報を格納する開示制御情報格納部と、
端末装置から要求があった場合に、前記情報格納部に格納されている情報を開示する画面情報を作成して当該端末装置へ送信する情報開示制御部と
を備え、
前記情報開示制御部は、
施設名を開示しない開示方法を指定する開示制御情報が前記開示制御情報格納部に格納されている場合、開示する情報の施設名に代えて、当該施設名とは異なる名称を用いて前記画面情報を作成する。
【発明の効果】
【００２０】
本発明によれば、各施設の管理者がエネルギー使用量の情報の非開示を制御できるようにすることができる。
【図面の簡単な説明】
【００２１】
【図１】本発明の一実施形態に係る使用量管理システム１０の構成の一例を示すシステム構成図である。
【図２】使用量管理サーバ２０の機能構成の一例を示すブロック図である。
【図３】施設情報格納部２１に格納される施設情報２１０の一例を示す概念図である。
【図４】開示制御情報格納部２２に格納される開示制御情報２２０の一例を示す概念図である。
【図５】開示フラグの値毎の内容の一例を説明するための説明図である。
【図６】処理情報格納部２３に格納されるデータの構造の一例を示す概念図である。
【図７】使用量格納部２４に格納されるデータの構造の一例を示す概念図である。
【図８】ログイン画面３０の一例を示す概念図である。
【図９】施設情報登録画面３１の一例を示す概念図である。
【図１０】データ系列登録画面３２の一例を示す概念図である。
【図１１】処理登録画面３３の一例を示す概念図である。
【図１２】メニュー画面３４の一例を示す概念図である。
【図１３】処理選択画面３５の一例を示す概念図である。
【図１４】使用量表示画面３６の一例を示す概念図である。
【図１５】使用量表示画面３６の一例を示す概念図である。
【図１６】使用量表示画面３６の一例を示す概念図である。
【図１７】使用量表示画面３６の一例を示す概念図である。
【図１８】使用量管理サーバ２０によって行われる処理登録の動作の一例を示すフローチャートである。
【図１９】開示テーブル作成処理（Ｓ１２０）の一例を示すフローチャートである。
【図２０】使用量管理サーバ２０によって行われる処理の実行動作の一例を示すフローチャートである。
【図２１】凡例作成換処理（Ｓ２２０）の一例を示すフローチャートである。
【図２２】使用量管理サーバ２０の機能を実現するコンピュータ４０のハードウェア構成の一例を示す図である。
【発明を実施するための形態】
【００２２】
以下、本発明の実施の形態について、図面を参照しながら説明する。
【００２３】
図１は、本発明の一実施形態に係る使用量管理システム１０の構成の一例を示すシステム構成図である。使用量管理システム１０は、それぞれの施設１２に設けられた通信装置１２０および使用量管理サーバ２０を備える。それぞれの施設１２は、例えばオフィスビルや工場、商業施設などである。
【００２４】
それぞれの通信装置１２０は、施設１２に設けられている空調装置１２１や照明装置１２２等の機器が使用した電力の使用量を示す情報を収集し、通信回線１１を介して使用量管理サーバ２０へ送る。なお、通信装置１２０は、例えばＢＥＭＳ管理装置として構成されてもよく、使用量管理システム１０は、ＣＥＭＳとして構成されてもよい。
【００２５】
それぞれの施設１２内には、施設１２内の空調装置１２１や照明装置１２２等の機器の稼働を制御する管理装置１２３が設けられている。管理装置１２３は、施設１２内の機器の管理者によって操作され、これらの機器の電力使用量の収集および表示も行う。なお、管理装置１２３は、必ずしも施設１２内に設けられていなくてもよく、通信回線１１を介して施設１２の外部から施設１２内の機器の電力使用量の収集および表示を行ってもよい。また、管理装置１２３は、汎用のコンピュータ等により実現することができる。
【００２６】
使用量管理サーバ２０は、各施設１２の通信装置１２０から各機器の電力使用量の情報を収集し、保持する。そして、使用量管理サーバ２０は、各施設１２の管理装置１２３から要求があった場合に、当該管理装置１２３の管理者に開示が許可されている電力使用量の情報を、通信回線１１を介して当該管理装置１２３へ送信する。管理装置１２３は、使用量管理サーバ２０から受信した他の施設１２の機器の電力使用量の情報を表示する。
【００２７】
図２は、使用量管理サーバ２０の機能構成の一例を示すブロック図である。使用量管理サーバ２０は、施設情報格納部２１、開示制御情報格納部２２、処理情報格納部２３、使用量格納部２４、情報登録部２５、使用量開示制御部２６、および使用量収集部２７を備える。
【００２８】
施設情報格納部２１には、例えば図３に示すような施設情報２１０が格納される。施設情報２１０には、それぞれの施設１２を識別する施設ＩＤ２１１に対応付けて、当該施設１２の施設名２１２、当該施設１２の管理者が使用量管理サーバ２０にアクセスするためのログインＩＤ２１３およびパスワード２１４、ならびに、当該施設１２の属性情報２１５等が格納される。
【００２９】
施設情報２１０において、施設ＩＤ２１１は使用量管理サーバ２０によって自動的に割り当てられるが、その他の情報は施設１２の管理者が設定する。なお、業種コードや、規模コード、地域コードは、例えばその値毎に、その値が示す内容が予め定められており、管理者は、その内容に従って、施設１２に対応する各種コードの値を入力する。
【００３０】
開示制御情報格納部２２には、例えば図４に示すような開示制御情報２２０が格納される。開示制御情報２２０には、施設ＩＤ２２１に対応付けて、当該施設ＩＤ２２１に対応する施設で使用されている機器の名称２２２、当該施設１２内において当該機器の電力使用量のデータ系列を識別するサイト内タグＩＤ２２３、当該データ系列を使用量管理サーバ２０内において一意に識別するグローバルＩＤ２２４、当該データ系列の種別を示すデータ種別２２５、当該データ系列を他の施設１２の管理者に開示するか否かを示す開示フラグ２２６、および、当該データ系列を、開示フラグ２２６の値に関わらず開示する他の施設１２の施設ＩＤを示す開示先情報２２７が格納される。なお、開示先情報２２７は、他の管理者のログインＩＤ等、開示してもよい第三者を特定する情報が指定されていてもよい。
【００３１】
開示制御情報２２０において、施設ＩＤ２２１およびグローバルＩＤ２２４は、使用量管理サーバ２０によって自動的に割り当てられるが、その他の情報は、施設１２の管理者が設定する。なお、データ種別２２５に設定される情報は、例えば、機器のカテゴリ毎に予め定められており、各施設１２の管理者は、その情報に従ってデータ種別２２５の欄に該当する情報を設定する。例えば「空調装置」のカテゴリについては「Ｄ００１」が予め定められており、各施設１２の管理者間で呼び方が異なる機器であっても、「空調装置」のカテゴリの機器の電力使用量を特定できるようになっている。
【００３２】
開示フラグ２２６については、例えば図５に示すように、開示フラグの値毎に、データ系列の開示方法が予め定められている。開示フラグの値が例えば「０」である場合、施設名および全ての属性情報と共にデータ系列が他の施設１２の管理者に開示される。また、開示フラグの値が例えば「３」である場合、他の施設１２の管理者に対しては、施設名、業種コード、および規模コードが伏せられてデータ系列が開示される。また、開示フラグの値が例えば「５」である場合、他の施設１２の管理者に対しては、施設名や属性情報が開示されず、データ系列も統計利用の場合にのみ利用される。
【００３３】
なお、「０」以外の値の開示フラグが設定されていた場合でも、開示先情報２２７に登録されている施設ＩＤに対応する管理者に対しては、データ系列と共に施設名および全ての属性情報が開示される。また、開示フラグについては、上記の他、所定期間毎の移動平均の処理を施すなどデータ系列の粒度を下げて開示するという開示方法が対応付けられていてもよい。また、開示先情報２２７に登録されている施設ＩＤ毎に開示フラグを指定できるようにしてもよい。また、期間を指定して、その期間だけ指定した開示フラグの開示方法で開示できるようにしてもよい。
【００３４】
処理情報格納部２３には、例えば図６に示すように、施設ＩＤ２３０毎に処理情報テーブル２３１が格納される。それぞれの処理情報テーブル２３１には、それぞれの処理（アプリケーションと呼んでもよい）を識別する処理ＩＤ２３２に対応付けて、当該処理の名称２３３、および、当該処理に用いられる１つ以上のデータ系列２３４が格納される。
【００３５】
処理情報テーブル２３１において、処理ＩＤ２３２は、使用量管理サーバ２０によって自動的に割り当てられるが、その他の情報は、施設１２の管理者が設定する。なお、データ系列２３４に単一のデータ系列を指定する場合には、当該データ系列に対応するグローバルＩＤを指定する。
【００３６】
また、データ系列２３４内には複数のデータ系列を用いた演算式や関数を用いてデータ系列を指定することもできる。図６に例示した処理情報格納部２３において、「（Ｇ００１＋Ｇ００３）／２」は、「Ｇ００１」と「Ｇ００３」のデータ系列の平均をデータ系列として指定することを示している。また、「Ａｖｅ（地域３：Ｄ００２）」は、地域コードが「３」でデータ種別が「Ｄ００２」である全てのデータ系列の平均をデータ系列として指定することを示している。
【００３７】
本実施形態におけるデータ系列の加工処理は、データ系列２３４で指定されたデータ系列を時系列に折れ線グラフとして表示するものであるが、本発明はこれに限られず、施設毎に、指定された期間における電力使用量の合計を表示する棒グラフや、施設毎に電力使用量の内訳を表示する円グラフ、所定期間毎の電力使用量の合計とその内訳を組み合わせた積み上げ棒グラフなどとして表示するものであってもよい。
【００３８】
使用量格納部２４には、例えば図７に示すように、グローバルＩＤ２４０毎に使用量テーブル２４１が格納される。それぞれの使用量テーブル２４１には、当該グローバルＩＤ２４０に対応するデータ系列である電力使用量の測定値２４２に対応付けて、当該測定値２４２を測定した測定時刻２４３が格納される。
【００３９】
図２に戻って説明を続ける。使用量収集部２７は、通信回線１１を介して各通信装置１２０から、サイト内タグＩＤ、電力使用量の測定値、および測定時刻を受信した場合に、開示制御情報格納部２２内の開示制御情報２２０を参照して、受信したサイト内タグＩＤに対応付けられているグローバルＩＤを特定する。そして、使用量収集部２７は、特定したグローバルＩＤに対応付けられている使用量テーブルに、受信した電力使用量の測定値と測定時刻とを対応付けて格納する。
【００４０】
情報登録部２５は、通信回線１１を介して管理装置１２３等からアクセスされた場合に、例えば図８に示すようなログイン画面３０のデータをアクセス元の管理装置１２３等に送信する。管理装置１２３は、受信したデータに基づいてログイン画面３０を表示する。施設１２の管理者は、既に登録を済ませている場合には、管理装置１２３を操作して、ログイン画面３０の領域３００にログインＩＤを入力し、領域３０１にパスワードを入力して、ログインボタン３０３を押下する。
【００４１】
管理装置１２３は、ログインボタン３０３が押下された場合に、領域３００に入力されたログインＩＤと領域３０１に入力されたパスワードとを使用量管理サーバ２０へ送信する。情報登録部２５は、管理装置１２３から受け取ったログインＩＤおよびパスワードの組が施設情報格納部２１内の施設情報２１０に存在する場合、例えば図１２に示すようなメニュー画面３４のデータを通信回線１１を介して管理装置１２３に送信する。
【００４２】
一方、登録が完了していない場合、管理者は、管理装置１２３を操作して、図８に示すログイン画面３０の新規登録ボタン３０２を押下する。管理装置１２３は、新規登録を示す情報を通信回線１１を介して使用量管理サーバ２０へ送信する。情報登録部２５は、管理装置１２３から新規登録を示す情報を受け取った場合、例えば図９に示すような施設情報登録画面３１のデータを管理装置１２３へ送信する。管理装置１２３は、受信したデータに基づいて施設情報登録画面３１を表示する。
【００４３】
施設１２の管理者は、管理装置１２３を操作して、施設情報登録画面３１の領域３１０に施設名を入力し、領域３１２にログインＩＤを入力し、領域３１３にパスワードを入力し、領域３１４に属性情報を入力し、登録ボタン３１５を押下する。領域３１１には、使用量管理サーバ２０により自動的に割り当てられた施設ＩＤが表示される。管理装置１２３は、登録ボタン３１５が押下された場合、領域３１０、領域３１２、領域３１３、および領域３１４に入力された情報を、領域３１１に表示した施設ＩＤと共に使用量管理サーバ２０へ送信する。
【００４４】
情報登録部２５は、管理装置１２３から受け取った施設名、ログインＩＤ、パスワード、および属性情報を、施設ＩＤに対応付けて施設情報格納部２１内の施設情報２１０に格納する。そして、情報登録部２５は、例えば図１０に示すようなデータ系列登録画面３２のデータを管理装置１２３へ送信する。管理装置１２３は、受信したデータに基づいてデータ系列登録画面３２を表示する。
【００４５】
施設１２の管理者は、管理装置１２３を操作して、データ系列登録画面３２の領域３２２にデータ系列の名称を入力し、領域３２３にサイト内タグＩＤを入力し、領域３２５にデータ種別を入力し、領域３２６に開示フラグを入力し、必要であれば領域３２７に開示先情報を入力し、登録ボタン３２８を押下する。
【００４６】
領域３２０および領域３２１には、図９の施設情報登録画面３１において入力された施設ＩＤおよび施設名がそれぞれ表示される。領域３２４内のグローバルＩＤは、１つのレコード３２９に情報が登録された場合に、使用量管理サーバ２０によって自動的に設定される。例えば、管理装置１２３は、１つのレコード３２９にデータが入力された場合に、通信回線１１を介して使用量管理サーバ２０にグローバルＩＤを要求し、使用量管理サーバ２０からグローバルＩＤを受信して当該レコード３２９の領域３２４に設定する。
【００４７】
管理装置１２３は、登録ボタン３２８が押下された場合、領域３２２から領域３２７に設定されたデータを、領域３２０に表示されている施設ＩＤと共に使用量管理サーバ２０へ送信する。情報登録部２５は、受信したこれらの情報を、施設ＩＤに対応付けて開示制御情報格納部２２内の開示制御情報２２０に格納する。
【００４８】
次に、情報登録部２５は、開示テーブルを生成し、開示制御情報２２０内のデータ系列毎、即ちグローバルＩＤ毎に、開示フラグを参照して、開示先フラグの値に応じて、グローバルＩＤに対応付けられている施設名や属性情報を、これらの内容が特定できない情報に置換し、置換後の施設名や属性情報を、生成した開示テーブルに格納する。
【００４９】
このとき、開示フラグに「５」が設定されているデータ系列については、情報登録部２５は、当該データ系列の情報を開示テーブルに格納しない。また、開示先情報に登録されている施設ＩＤの中に、データ系列登録画面３２の領域３２０に表示されている施設ＩＤが含まれている場合、情報登録部２５は、開示フラグの値が「０」以外の値であっても、当該データ系列の施設名や属性情報を置換することなく開示テーブルに格納する。
【００５０】
そして、情報登録部２５は、作成した開示テーブルを含む処理登録画面３３のデータを通信回線１１を介して管理装置１２３へ送信する。管理装置１２３は、受信したデータに基づいて処理登録画面３３を表示する。処理登録画面３３は、例えば図１１に示すように構成することができる。
【００５１】
処理登録画面３３において、領域３３０には施設ＩＤが表示され、領域３３１には施設名が表示され、領域３３２には作成された開示テーブルが表示され、その下には処理の名称３３３毎に処理に用いるデータ系列を入力するための領域３３４が表示される。
【００５２】
領域３３２に表示された開示テーブルにおいて、施設名が「○○工業」の行の情報は、現在ログインしている管理者の施設の情報であるため、開示フラグの値に関わらず、施設名や属性情報が表示されている。また、施設名が「施設１」となっている行の情報は、開示フラグの値が「１」であり、現在ログインしている管理者の施設の施設ＩＤが開示先情報として登録されていないため、施設名が、施設名を特定できない情報である「施設１」に置換されて表示されている。また、施設名が「施設２」となっている行の情報は、開示フラグの値が「３」であり、現在ログインしている管理者の施設の施設ＩＤが開示先情報として登録されていないため、施設名、業種コード、および規模コードが、これらを特定できない情報に置換されて表示されている。
【００５３】
施設１２の管理者は、管理装置１２３を操作して、タグ３３５を選択して処理の名称を入力することで領域３３４を新たに作成することができる。また、管理者は、領域３３４内の領域３３６にデータ系列を指定する情報を入力し、登録ボタン３３８を押下すると、管理装置１２３は、処理の名称３３３、および、領域３３６に入力されたデータ系列を指定する情報を、領域３３０に表示されている施設ＩＤと共に使用量管理サーバ２０へ送信する。
【００５４】
情報登録部２５は、受信した施設ＩＤに対応する処理情報テーブルを処理情報格納部２３内で特定する。そして、情報登録部２５は、処理ＩＤを新たに割り当て、当該処理ＩＤに対応付けて、受信した処理の名称およびデータ系列を指定する情報を、特定した処理情報テーブルに登録する。
【００５５】
追加ボタン３３７が押下されると、データ系列の入力欄が領域３３６内に追加される。完了ボタン３３９が押下されると、管理装置１２３は、その旨を使用量管理サーバ２０へ通知する。そして、情報登録部２５は、例えば図１２に示すようなメニュー画面３４のデータを管理装置１２３へ送信する。管理装置１２３は、受信したデータに基づいてメニュー画面３４を表示する。
【００５６】
メニュー画面３４の領域３４０には施設ＩＤが表示され、領域３４１には施設名が表示される。施設情報登録ボタン３４２が押下された場合、管理装置１２３はその旨を使用量管理サーバ２０へ送信し、情報登録部２５は図９に示した施設情報登録画面３１のデータを管理装置１２３へ送信する。また、データ系列登録ボタン３４３が押下された場合、管理装置１２３はその旨を使用量管理サーバ２０へ送信し、情報登録部２５は図１０に示したデータ系列登録画面３２のデータを管理装置１２３へ送信する。また、処理登録ボタン３４４が押下された場合、管理装置１２３はその旨を使用量管理サーバ２０へ送信し、情報登録部２５は図１１に示した処理登録画面３３のデータを管理装置１２３へ送信する。ログアウトボタン３４６が押下された場合、管理装置１２３はその旨を使用量管理サーバ２０へ送信し、情報登録部２５は図８に示したログイン画面３０のデータを管理装置１２３へ送信する。
【００５７】
処理実行ボタン３４５が押下された場合、管理装置１２３は領域３４０に表示されている施設ＩＤと共にその旨を使用量管理サーバ２０へ送信し、使用量開示制御部２６は、受信した施設ＩＤに対応する処理情報テーブルを処理情報格納部２３内で特定する。そして、使用量開示制御部２６は、特定した処理情報テーブルから、処理ＩＤ毎に処理の名称を抽出し、例えば図１３に示すような処理選択画面３５のデータを作成して管理装置１２３へ送信する。管理装置１２３は、受信したデータに基づいて処理選択画面３５を表示する。
【００５８】
図１３に示すように、処理選択画面３５において、領域３５０には施設ＩＤが表示され、領域３５１には施設名が表示される。そして、その下には、処理の名称を表示する領域３５３毎に、ラジオボタン３５２が表示される。施設１２の管理者が、管理装置１２３を操作して、いずれかのラジオボタン３５２を選択して実行ボタン３５４を押下すると、管理装置１２３は、選択されたラジオボタン３５２に対応付けられている領域３５３に表示されている処理の名称を、領域３５０に表示されている施設ＩＤと共に使用量管理サーバ２０へ送信する。
【００５９】
使用量開示制御部２６は、受信した施設ＩＤに対応する処理情報テーブルを処理情報格納部２３内で特定する。そして、使用量開示制御部２６は、特定した処理情報テーブル内で、管理装置１２３から受信した処理の名称を含む行を特定し、特定した行に登録されているデータ系列を抽出する。データ系列は１つ以上抽出される。
【００６０】
次に、使用量開示制御部２６は、抽出したデータ系列の中で、平均等の統計処理が指定されているデータ系列について、当該データ系列に含まれているグローバルＩＤに対応するデータ系列を使用量格納部２４から抽出する。そして、使用量開示制御部２６は、抽出したデータ系列に、指定されている統計処理を施してデータ系列を作成する。
【００６１】
次に、使用量開示制御部２６は、平均等の統計処理が指定されていない、グローバルＩＤが単独で指定されているデータ系列について、当該データ系列を示すグローバルＩＤに基づいて開示制御情報格納部２２内の開示制御情報２２０を参照し、当該グローバルＩＤが対応付けられている施設ＩＤ、開示フラグ、および開示先情報をそれぞれ抽出する。
【００６２】
そして、使用量開示制御部２６は、開示フラグに「５」の値が設定されており、開示先情報に管理者の施設ＩＤが含まれていないデータ系列と、先に統計処理が施されたデータ系列とを用いてグラフを作成する。
【００６３】
次に、使用量開示制御部２６は、これらのデータ系列の凡例を作成する。このとき、使用量開示制御部２６は、統計処理が施されたデータ系列については、対象となったデータ系列の数やデータ種別等の情報を凡例として作成する。
【００６４】
また、統計処理が施されていないデータ系列については、対応する施設ＩＤ、開示フラグ、および開示先情報に基づいて開示してはならない情報の項目を特定し、特定した項目の情報について、これらの情報が特定できない名称に置換したものを凡例として作成する。そして、使用量開示制御部２６は、例えば図１４〜図１７に示すような使用量表示画面３６のデータを管理装置１２３へ送信する。管理装置１２３は、受信したデータに基づいて使用量表示画面３６を表示する。
【００６５】
図１４に例示した使用量表示画面３６では、領域３６０にデータ系列に基づいて作成されたグラフが表示され、領域３６１に各データ系列の凡例が表示される。図１４の例において、領域３６１に表示されている凡例の一つが管理装置１２３のマウス等で選択されると、ポップアップ３６２や別ウィンドウなどにより、当該凡例のデータ系列に対応する属性情報等が表示される。
【００６６】
図１４の例では、実線の凡例が選択された場合を示している。実線のデータ系列には「０」の値の開示フラグが対応付けられており、凡例に施設名が表示され、マウス等により凡例が選択された場合に表示されるポップアップ３６２には、全ての属性情報が表示されている。
【００６７】
また、図１５の例では、破線の凡例が選択された場合を示している。破線のデータ系列には「１」の値の開示フラグが対応付けられており、凡例には施設名が特定されない「施設１」が表示され、マウス等により凡例が選択された場合に表示されるポップアップ３６２には、全ての属性情報が表示されている。
【００６８】
また、図１６の例では、点線の凡例が選択された場合を示している。点線のデータ系列には「３」の値の開示フラグが対応付けられており、凡例には施設名が特定されない「施設２」が表示され、マウス等により凡例が選択された場合に表示されるポップアップ３６２には、業種コードと規模コードの値が伏せて表示され、その他の属性情報（例えば地域コードの値）は表示されている。
【００６９】
また、図１７の例では、破線の凡例は統計処理が施されたデータ系列である場合を示している。凡例には施設名は表示されず、統計処理の方法を示す情報が表示されている。マウス等により凡例が選択された場合に表示されるポップアップ３６２には、統計処理の対象となったデータ系列の詳細が表示される。
【００７０】
図１８は、使用量管理サーバ２０によって行われる処理登録の動作の一例を示すフローチャートである。図１０に示したデータ系列登録画面３２において登録ボタン３２８が押下された場合、または、図１２に示したメニュー画面３４において処理登録ボタン３４４が押下された場合に、管理装置１２３から施設ＩＤを受信し、使用量管理サーバ２０は、本フローチャートに示す動作を開始する。
【００７１】
まず、情報登録部２５は、開示制御情報格納部２２内の開示制御情報２２０を参照し、未選択のデータ系列のグローバルＩＤを１つ選択する（Ｓ１００）。そして、選択したグローバルＩＤのデータ系列について開示テーブル作成処理を実行する（Ｓ１２０）。
【００７２】
図１９は、開示テーブル作成処理（Ｓ１２０）の一例を示すフローチャートである。
【００７３】
まず、情報登録部２５は、ステップＳ１００で選択したグローバルＩＤについて開示制御情報２２０を参照し、管理装置１２３から受信した施設ＩＤが開示先情報として登録されているか否かを判定する（Ｓ１２１）。開示先情報として登録されている場合（Ｓ１２１：Ｙｅｓ）、情報登録部２５は、ステップＳ１２４に示す処理を実行する。
【００７４】
開示先情報として登録されていない場合（Ｓ１２１：Ｎｏ）、情報登録部２５は、開示制御情報２２０を参照し、ステップＳ１００で選択したグローバルＩＤに対応付けられている施設ＩＤ、データ系列の名称、データ種別、および開示フラグの値を抽出し（Ｓ１２２）、開示テーブルを生成する。そして、情報登録部２５は、抽出した施設ＩＤに対応付けられている施設名および全ての属性情報を施設情報格納部２１内の施設情報２１０から抽出する。
【００７５】
次に、情報登録部２５は、抽出した開示フラグの値が「０」であるか否かを判定する（Ｓ１２３）。開示フラグの値が「０」である場合（Ｓ１２３：Ｙｅｓ）、情報登録部２５は、抽出した施設名、全ての属性情報、データ系列の名称、データ種別、およびグローバルＩＤの情報等を、開示テーブルに登録し（Ｓ１２４）、本フローチャートに示した開示テーブル作成処理を終了する。
【００７６】
また、開示フラグの値が「１」である場合（Ｓ１２５：Ｙｅｓ）、情報登録部２５は、抽出した施設名を、当該施設名が特定できない名称（例えば「施設１」）に置換する。そして、置換後の施設名と共に、抽出した全ての属性情報、データ系列の名称、データ種別、およびグローバルＩＤの情報等を開示テーブルに登録し（Ｓ１２６）、本フローチャートに示した開示テーブル作成処理を終了する。
【００７７】
また、開示フラグの値が「２」である場合（Ｓ１２７：Ｙｅｓ）、情報登録部２５は、抽出した施設名および業種コードを、これらの情報を特定できない情報（例えば、業種コードについては「情報なし」）に置換する。そして、置換後の施設名および業種コードと共に、抽出した残りの属性情報、データ系列の名称、データ種別、およびグローバルＩＤの情報等を開示テーブルに登録し（Ｓ１２８）、本フローチャートに示した開示テーブル作成処理を終了する。
【００７８】
また、開示フラグの値が「３」である場合（Ｓ１２９：Ｙｅｓ）、情報登録部２５は、抽出した施設名、業種コード、および規模コードを、これらの情報を特定できない情報（例えば規模コードについては「情報なし」）に置換する。そして、置換後の施設名、業種コード、および規模コードと共に、抽出した残りの属性情報、データ系列の名称、データ種別、およびグローバルＩＤの情報等を開示テーブルに登録し（Ｓ１３０）、本フローチャートに示した開示テーブル作成処理を終了する。
【００７９】
また、開示フラグの値が「４」である場合（Ｓ１３１：Ｙｅｓ）、情報登録部２５は、抽出した施設名、業種コード、規模コード、および地域コードを、これらの情報を特定できない情報（例えば規模コードについては「情報なし」）に置換する。そして、置換後の施設名および属性情報と共に、データ系列の名称、データ種別、およびグローバルＩＤの情報等を開示テーブルに登録し（Ｓ１３２）、本フローチャートに示した開示テーブル作成処理を終了する。
【００８０】
なお、開示フラグの値が「５」である場合（Ｓ１３１：Ｎｏ）、統計利用以外では施設名や属性情報の開示を行わないため、情報登録部２５は、当該データ系列の情報を開示テーブルに登録することなく本フローチャートに示した開示テーブル作成処理を終了する。
【００８１】
図１８に戻って説明を続ける。情報登録部２５は、開示制御情報格納部２２内の開示制御情報２２０を参照して、全てのグローバルＩＤを選択したか否かを判定する（Ｓ１０１）。未選択のグローバルＩＤがある場合（Ｓ１０１：Ｎｏ）、情報登録部２５は、再びステップＳ１００に示した処理を実行する。
【００８２】
一方、全てのグローバルＩＤを選択した場合（Ｓ１０１：Ｙｅｓ）、情報登録部２５は、作成した開示テーブルを含む処理登録画面３３（図１１参照）のデータを管理装置１２３へ送信する（Ｓ１０２）。そして、情報登録部２５は、管理装置１２３から施設ＩＤ、処理の名称、および１つ以上のデータ系列の情報を受信したか否かを判定する（Ｓ１０３）。
【００８３】
これらの情報を受信した場合（Ｓ１０３：Ｙｅｓ）、情報登録部２５は、受信した施設ＩＤに対応する処理情報テーブルを処理情報格納部２３内で特定する。そして、情報登録部２５は、処理ＩＤを新たに割り当て、当該処理ＩＤに対応付けて、受信した処理の名称およびデータ系列を指定する情報を、特定した処理情報テーブルに登録する（Ｓ１０４）。
【００８４】
次に、情報登録部２５は、処理登録画面３３の完了ボタン３３９が押下された旨の情報を管理装置１２３から受信したか否かを判定する（Ｓ１０５）。完了ボタン３３９が押下された旨の情報を受信していない場合（Ｓ１０５：Ｎｏ）、情報登録部２５は、再びステップＳ１０３に示した処理を実行する。完了ボタン３３９が押下された旨の情報を受信した場合（Ｓ１０５：Ｙｅｓ）、情報登録部２５は、本フローチャートに示した処理登録の動作を終了する。
【００８５】
図２０は、使用量管理サーバ２０によって行われる登録処理の実行動作の一例を示すフローチャートである。図１２に示したメニュー画面３４において処理実行ボタン３４５が押下された場合に、管理装置１２３から施設ＩＤを受信し、使用量管理サーバ２０は、本フローチャートに示す動作を開始する。
【００８６】
まず、使用量開示制御部２６は、受信した施設ＩＤに対応する処理情報テーブルを処理情報格納部２３内で特定する（Ｓ２００）。そして、使用量開示制御部２６は、特定した処理情報テーブルから、処理ＩＤ毎に処理の名称を抽出し、処理選択画面３５（図１３参照）のデータを作成して管理装置１２３へ送信する（Ｓ２０１）。
【００８７】
そして、使用量開示制御部２６は、処理ＩＤおよび処理の名称の情報を管理装置１２３から受信したか否かを判定する（Ｓ２０２）。これらの情報を受信した場合（Ｓ２０２：Ｙｅｓ）、使用量開示制御部２６は、受信した施設ＩＤに対応する処理情報テーブルを処理情報格納部２３内で特定する。そして、使用量開示制御部２６は、凡例テーブルを生成する。なお、この時点では、凡例テーブルにデータは登録されていない。そして、使用量開示制御部２６は、特定した処理情報テーブル内で、管理装置１２３から受信した処理の名称を含む行を特定し、特定した行に登録されているデータ系列を抽出する（Ｓ２０３）。
【００８８】
次に、使用量開示制御部２６は、抽出したデータ系列の中で、未選択のデータ系列を１つ選択し（Ｓ２０４）、選択したデータ系列は統計処理が指定されているか否かを判定する（Ｓ２０５）。統計処理が指定されている場合（Ｓ２０５：Ｙｅｓ）、使用量開示制御部２６は、指定されている統計処理を実行してデータ系列を作成する（Ｓ２０６）。このとき、作成したデータ系列の統計処理の方法等の情報を当該データ系列の凡例の情報として凡例テーブルに登録する。
【００８９】
統計処理が指定されていない場合（Ｓ２０５：Ｎｏ）、使用量開示制御部２６は、ステップＳ２０４において選択したデータ系列の凡例の情報を作成する凡例作成処理を実行する（Ｓ２２０）。
【００９０】
図２１は、凡例作成換処理（Ｓ２２０）の一例を示すフローチャートである。
【００９１】
まず、使用量開示制御部２６は、ステップＳ２０４において選択したデータ系列のグローバルＩＤに対応付けられている施設ＩＤ、データ系列の名称、データ種別、開示フラグ、および開示先情報を開示制御情報格納部２２内の開示制御情報２２０から抽出する（Ｓ２２１）。そして、使用量開示制御部２６は、管理装置１２３から受信した施設ＩＤが開示先情報として登録されているか否かを判定する（Ｓ２２２）。開示先情報として登録されている場合（Ｓ２２２：Ｙｅｓ）、使用量開示制御部２６は、ステップＳ２２４に示す処理を実行する。
【００９２】
開示先情報として登録されていない場合（Ｓ２２２：Ｎｏ）、情報登録部２５は、抽出した施設ＩＤに対応付けられている施設名および全ての属性情報を施設情報格納部２１内の施設情報２１０から抽出する。そして、使用量開示制御部２６は、抽出した開示フラグの値が「０」であるか否かを判定する（Ｓ２２３）。
【００９３】
開示フラグの値が「０」である場合（Ｓ２２３：Ｙｅｓ）、使用量開示制御部２６は、抽出した施設名、全ての属性情報、データ系列の名称、およびデータ種別の情報等を、凡例テーブルに登録し（Ｓ２２４）、本フローチャートに示した凡例作成処理を終了する。
【００９４】
また、開示フラグの値が「１」である場合（Ｓ２２５：Ｙｅｓ）、情報登録部２５は、抽出した施設名を、当該施設名が特定できない名称に置換する。そして、置換後の施設名と共に、抽出した全ての属性情報、データ系列の名称、およびデータ種別の情報等を凡例テーブルに登録し（Ｓ２２６）、本フローチャートに示した凡例作成処理を終了する。
【００９５】
また、開示フラグの値が「２」である場合（Ｓ２２７：Ｙｅｓ）、情報登録部２５は、抽出した施設名および業種コードを、これらの情報を特定できない情報に置換する。そして、置換後の施設名および業種コードと共に、抽出した残りの属性情報、データ系列の名称、およびデータ種別の情報等を凡例テーブルに登録し（Ｓ２２８）、本フローチャートに示した凡例作成処理を終了する。
【００９６】
また、開示フラグの値が「３」である場合（Ｓ２２９：Ｙｅｓ）、情報登録部２５は、抽出した施設名、業種コード、および規模コードを、これらの情報を特定できない情報に置換する。そして、置換後の施設名、業種コード、および規模コードと共に、抽出した残りの属性情報、データ系列の名称およびデータ種別の情報等を凡例テーブルに登録し（Ｓ２３０）、本フローチャートに示した開示テーブル作成処理を終了する。
【００９７】
また、開示フラグの値が「４」である場合（Ｓ２２９：Ｎｏ）、情報登録部２５は、抽出した施設名、業種コード、規模コード、および地域コードを、これらの情報を特定できない情報に置換する。そして、置換後の施設名および属性情報と共に、データ系列の名称およびデータ種別の情報等を凡例テーブルに登録し（Ｓ２３１）、本フローチャートに示した凡例作成処理を終了する。
【００９８】
図２０に戻って説明を続ける。使用量開示制御部２６は、ステップＳ２０３において抽出したデータ系列を全て選択したか否かを判定する（Ｓ２０７）。未選択のデータ系列がある場合（Ｓ２０７：Ｎｏ）、使用量開示制御部２６は、再びステップＳ２０４に示した処理を実行する。
【００９９】
一方、全てのデータ系列を選択した場合（Ｓ２０７：Ｙｅｓ）、使用量開示制御部２６は、ステップＳ２０３において抽出したそれぞれのデータ系列についてグラフを作成する。そして、使用量開示制御部２６は、作成したグラフの画像と、ステップＳ２０６およびステップＳ２２０において作成された凡例テーブルの情報を含む使用量表示画面３６（図１４参照）のデータを管理装置１２３へ送信し（Ｓ２０８）、使用量管理サーバ２０は、本フローチャートに示した登録処理の実行動作を終了する。
【０１００】
図２２は、使用量管理サーバ２０の機能を実現するコンピュータ４０のハードウェア構成の一例を示すハードウェア構成図である。コンピュータ４０は、ＣＰＵ（Central Processing Unit）４１、ＲＡＭ（Random Access Memory）４２、ＲＯＭ（Read Only Memory）４３、ＨＤＤ（Hard Disk Drive）４４、通信インターフェイス（Ｉ／Ｆ）４５、入出力インターフェイス（Ｉ／Ｆ）４６、およびメディアインターフェイス（Ｉ／Ｆ）４７を備える。
【０１０１】
ＣＰＵ４１は、ＲＯＭ４３またはＨＤＤ４４に格納されたプログラムに基づいて動作し、各部の制御を行う。ＲＯＭ４３は、コンピュータ４０の起動時にＣＰＵ４１によって実行されるブートプログラムや、コンピュータ４０のハードウェアに依存するプログラム等を格納する。
【０１０２】
ＨＤＤ４４は、ＣＰＵ４１によって実行されるプログラムおよび当該プログラムによって使用されるデータ等を格納する。通信インターフェイス４５は、通信回線１１を介して他の機器からデータを受信してＣＰＵ４１へ送ると共に、ＣＰＵ４１が生成したデータを、通信回線１１を介して他の機器へ送信する。
【０１０３】
ＣＰＵ４１は、入出力インターフェイス４６を介して、ディスプレイ等の出力装置、および、マウスやキーボード等の入力装置を制御する。ＣＰＵ４１は、入出力インターフェイス４６を介して、入力装置から信号を取得する。また、ＣＰＵ４１は、生成した信号を、入出力インターフェイス４６を介して出力装置へ出力する。
【０１０４】
メディアインターフェイス４７は、記録媒体４８に格納されたプログラムまたはデータを読み取り、ＲＡＭ４２を介してＣＰＵ４１に提供する。ＣＰＵ４１は、当該プログラムを、メディアインターフェイス４７を介して記録媒体４８からＲＡＭ４２上にロードし、ロードしたプログラムを実行する。記録媒体４８は、例えばＤＶＤ（Digital Versatile Disk）、ＰＤ（Phase change rewritable Disk）等の光学記録媒体、ＭＯ（Magneto-Optical disk）等の光磁気記録媒体、テープ媒体、磁気記録媒体、または半導体メモリ等である。
【０１０５】
コンピュータ４０のＣＰＵ４１は、ＲＡＭ４２上にロードされたプログラムを実行することにより、情報登録部２５、使用量開示制御部２６、および使用量収集部２７の各機能を実現する。また、ＲＯＭ４３やＨＤＤ４４には、施設情報格納部２１、開示制御情報格納部２２、処理情報格納部２３、使用量格納部２４、および使用量格納部２４内のデータが格納される。
【０１０６】
コンピュータ４０のＣＰＵ４１は、これらのプログラムを、記録媒体４８から読み取って実行するが、他の例として、他の装置から、通信回線１１を介してこれらのプログラムを取得してもよい。
【０１０７】
以上、本発明の実施の形態について説明した。
【０１０８】
上記説明から明らかなように、本実施形態の使用量管理システム１０によれば、各施設の管理者の希望に応じてエネルギー使用量の情報の非開示を制御できるようにすることができる。
【０１０９】
なお、本発明は、上記した実施形態に限定されるものではなく、その要旨の範囲内で数々の変形が可能である。例えば、上記した実施形態では、各施設１２内の機器における電力使用量の情報を使用量管理サーバ２０において一括管理しているが、一括管理する情報は電力使用量に限られず、化石燃料やガス等のエネルギーを対象としてもよい。また、エネルギーの他に、水等の資源や、ＣＯ２の排出量等を対象としてもよい。さらには、複数店舗の商品売上数量の情報を上記使用量と読み替えて複数店舗にわたる売上数量の管理を行うこともできるし、インターネット上のサービスの使用量を上記使用量と読み替えて企業や人ごとのサービス使用量の管理を行うこともできる。
【０１１０】
また、上記した実施形態は、本発明を分かりやすく説明するために詳細に説明したものであり、本発明が、必ずしも説明した全ての構成要素を備えるものに限定されるものではない。また、ある実施形態の構成の一部を、他の実施形態の構成に置き換えることが可能であり、ある実施形態の構成に、他の実施形態の構成を加えることも可能である。また、各実施形態の構成の一部について、他の構成の追加・削除・置換をすることが可能である。
【０１１１】
また、上記した実施形態では、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【０１１２】
１０：使用量管理システム、１１：通信回線、１２：施設、１２０：通信装置、１２１：空調装置、１２２：照明装置、１２３：管理装置、２０：使用量管理サーバ、２１：施設情報格納部、２２：開示制御情報格納部、２３：処理情報格納部、２４：使用量格納部、２５：情報登録部、２６：使用量開示制御部、２７：使用量収集部、３０：ログイン画面、３１：施設情報登録画面、３２：データ系列登録画面、３３：処理登録画面、３４：メニュー画面、３５：処理選択画面、３６：使用量表示画面、４０：コンピュータ、４１：ＣＰＵ、４２：ＲＡＭ、４３：ＲＯＭ、４４：ＨＤＤ、４５：通信インターフェイス、４６：入出力インターフェイス、４７：メディアインターフェイス、４８：記録媒体
【図１】
2014067205.tif 000003
【図２】
2014067205.tif 000004
【図３】
2014067205.tif 000005
【図４】
2014067205.tif 000006
【図５】
2014067205.tif 000007
【図６】
2014067205.tif 000008
【図７】
2014067205.tif 000009
【図８】
2014067205.tif 000010
【図９】
2014067205.tif 000011
【図１０】
2014067205.tif 000012
【図１１】
2014067205.tif 000013
【図１２】
2014067205.tif 000014
【図１３】
2014067205.tif 000015
【図１４】
2014067205.tif 000016
【図１５】
2014067205.tif 000017
【図１６】
2014067205.tif 000018
【図１７】
2014067205.tif 000019
【図１８】
2014067205.tif 000020
【図１９】
2014067205.tif 000021
【図２０】
2014067205.tif 000022
【図２１】
2014067205.tif 000023
【図２２】
2014067205.tif 000024